(57)【要約】【課題】部品点数を増やすことなく、屈曲部の反発力を抑えることを目的とする。【解決手段】フレキシブル配線基板２０は、第１端部７８から離れるよう延びる第１引出部８０と、第２端部８２から離れるよう延びる第２引出部８４と、弾性変形で反発力が生じるように屈曲して第１引出部８０と第２引出部８４を接続する屈曲部８６と、第１引出部８０から突出する突出片８８と、を一体的に含む。リジット基板２６は、表示パネル１０から突出して、フレキシブル配線基板２０の第１引出部８０及び第２引出部８４の上方に配置される部分を含む。第１引出部８０と第２引出部８４は、表示パネル１０とリジット基板２６の間隔の方向にずれた位置で屈曲部８６に接続する。突出片８８は、屈曲部８６の反発力に対抗して、第２引出部８４が第１引出部８０に近づく方向に引き寄せられた状態で、第２引出部８４を保持する。【選択図】図１
2014232178.tif 000002
【特許請求の範囲】
【請求項１】
表示パネルと、
前記表示パネルに接合されて引き出されたフレキシブル配線基板と、
前記表示パネルに貼りつけられたリジット基板と、
を有し、
前記フレキシブル配線基板は、前記表示パネルにそれぞれ接合された第１端部及び第２端部と、前記第１端部から離れるよう延びる第１引出部と、前記第２端部から離れるよう延びる第２引出部と、弾性変形で反発力が生じるように屈曲して前記第１引出部と前記第２引出部を接続する屈曲部と、前記第１引出部から突出する突出片と、を一体的に含み、
前記リジット基板は、前記表示パネルから突出して、前記フレキシブル配線基板の前記第１引出部及び前記第２引出部の上方に配置される部分を含み、
前記第１引出部と前記第２引出部は、前記表示パネルと前記リジット基板の間隔の方向にずれた位置で前記屈曲部に接続し、
前記突出片は、前記屈曲部の前記反発力に対抗して、前記第２引出部が前記第１引出部に近づく方向に引き寄せられた状態で、前記第２引出部を保持することを特徴とする表示装置。
【請求項２】
請求項１に記載された表示装置において、
前記リジット基板の下方で、前記第１引出部及び前記第２引出部は、前記表示パネルと前記リジット基板の間の前記方向に、相互に重なることを特徴とする表示装置。
【請求項３】
請求項２に記載された表示装置において、
前記突出片は、屈曲して、前記第２引出部の前記第１引出部とは反対側の面に重なることを特徴とする表示装置。
【請求項４】
請求項３に記載された表示装置において、
相互に重なる前記突出片及び前記第２引出部は、粘着材によって接合されることを特徴とする表示装置。
【請求項５】
請求項３に記載された表示装置において、
相互に重なる前記突出片及び前記第２引出部は、それぞれ、対向面に金属パッドを有し、前記突出片及び前記第２引出部の少なくとも一方の前記金属パッドに設けられた半田によって接合されることを特徴とする表示装置。
【請求項６】
請求項２に記載された表示装置において、
前記フレキシブル配線基板は、前記第１引出部から前記突出片とは反対方向に突出する凸部をさらに含み、
前記凸部は、スリットを有し、
前記突出片は、屈曲して、前記第２引出部の前記第１引出部とは反対側の面の上方に重なり、前記第１引出部を超えて、前記スリットで前記凸部に係合し、
前記屈曲部の前記反発力を、前記突出片を介して、前記凸部で受けることを特徴とする表示装置。
【請求項７】
請求項１に記載された表示装置において、
前記表示パネルと前記リジット基板の間の前記方向は、第１方向及び前記第１方向とは反対の第２方向からなり、
前記第２引出部は、前記第１方向に前記第１引出部からずれた位置で前記屈曲部から延び、前記第２方向に下がって前記突出片の下を通ることを特徴とする表示装置。
【請求項８】
請求項７に記載された表示装置において、
前記突出片に貼りつけられた補強板をさらに有することを特徴とする表示装置。
【請求項９】
請求項１から８のいずれか１項に記載された表示装置において、
前記表示パネルは、相互に重なる第１基板及び第２基板を含み、
前記第１端部は、前記第１基板に接合され、
前記第２端部は、前記第２基板に接合されていることを特徴とする表示装置。
【請求項１０】
請求項９に記載された表示装置において、
前記第１端部及び前記第２端部は、それぞれ、前記第１基板及び前記第２基板の同じ方向を向く面に接合されていることを特徴とする表示装置。
【請求項１１】
請求項１０に記載された表示装置において、
前記リジット基板は、前記第１基板及び前記第２基板の、前記第１端部及び前記第２端部がそれぞれ接合された前記面と対向する側に配置されていることを特徴とする表示装置。
【請求項１２】
請求項１１に記載された表示装置において、
前記リジット基板は、前記第２基板に貼り付けられていることを特徴とする表示装置。
【請求項１３】
請求項１から１２のいずれか１項に記載された表示装置において、
前記表示パネル及び前記フレキシブル配線基板を収容する筺体をさらに有し、
前記フレキシブル配線基板の前記表示パネルから引き出された部分は、屈曲して、前記表示パネルと前記筺体との間に配置されることを特徴とする表示装置。
【発明の詳細な説明】
【技術分野】
【０００１】
本発明は、表示装置に関する。
【背景技術】
【０００２】
液晶表示パネルなどの表示パネルの電気的接続にフレキシブル配線基板が使用されている。また、フレキシブル配線基板を折り曲げて表示パネルに接合することも知られている。フレキシブル配線基板は、折り曲げると屈曲部が形成されて膨らんだ形状になり、元々の薄い形状と比べると大きなスペースを占めるようになる。
【先行技術文献】
【特許文献】
【０００３】
【特許文献１】特開２００７−１２１６１５号公報
【発明の概要】
【発明が解決しようとする課題】
【０００４】
例えば、表示パネルにフレキシブル配線基板を折り曲げて接合し、カバーガラスを透明な接着剤で表示パネルに貼り付ける工程で、フレキシブル配線基板の屈曲部の反発力によってカバーガラスが持ち上がり、接着剤に気泡が入り込む不良が発生するおそれがある。
【０００５】
特許文献１には、フレキシブル配線基板の屈曲部の反発力を、固定具を用いて抑える方法が開示されているが、別部品としての固定具が必要であり、部品点数が増加するという問題があった。
【０００６】
本発明は、部品点数を増やすことなく、屈曲部の反発力を抑えることを目的とする。
【課題を解決するための手段】
【０００７】
（１）本発明に係る表示装置は、表示パネルと、前記表示パネルに接合されて引き出されたフレキシブル配線基板と、前記表示パネルに貼りつけられたリジット基板と、を有し、前記フレキシブル配線基板は、前記表示パネルにそれぞれ接合された第１端部及び第２端部と、前記第１端部から離れるよう延びる第１引出部と、前記第２端部から離れるよう延びる第２引出部と、弾性変形で反発力が生じるように屈曲して前記第１引出部と前記第２引出部を接続する屈曲部と、前記第１引出部から突出する突出片と、を一体的に含み、前記リジット基板は、前記表示パネルから突出して、前記フレキシブル配線基板の前記第１引出部及び前記第２引出部の上方に配置される部分を含み、前記第１引出部と前記第２引出部は、前記表示パネルと前記リジット基板の間隔の方向にずれた位置で前記屈曲部に接続し、前記突出片は、前記屈曲部の前記反発力に対抗して、前記第２引出部が前記第１引出部に近づく方向に引き寄せられた状態で、前記第２引出部を保持することを特徴とする。本発明によれば、フレキシブル配線基板の一部である突出片が第２引出部を保持することで、第２引出部を第１引出部に近づく方向に引き寄せるので、部品点数を増やすことなく、屈曲部の反発力を抑えることができる。
【０００８】
（２）（１）に記載された表示装置において、前記リジット基板の下方で、前記第１引出部及び前記第２引出部は、前記表示パネルと前記リジット基板の間の前記方向に、相互に重なることを特徴としてもよい。
【０００９】
（３）（２）に記載された表示装置において、前記突出片は、屈曲して、前記第２引出部の前記第１引出部とは反対側の面に重なることを特徴としてもよい。
【００１０】
（４）（３）に記載された表示装置において、相互に重なる前記突出片及び前記第２引出部は、粘着材によって接合されることを特徴としてもよい。
【００１１】
（５）（３）に記載された表示装置において、相互に重なる前記突出片及び前記第２引出部は、それぞれ、対向面に金属パッドを有し、前記突出片及び前記第２引出部の少なくとも一方の前記金属パッドに設けられた半田によって接合されることを特徴としてもよい。
【００１２】
（６）（２）に記載された表示装置において、前記フレキシブル配線基板は、前記第１引出部から前記突出片とは反対方向に突出する凸部をさらに含み、前記凸部は、スリットを有し、前記突出片は、屈曲して、前記第２引出部の前記第１引出部とは反対側の面の上方に重なり、前記第１引出部を超えて、前記スリットで前記凸部に係合し、前記屈曲部の前記反発力を、前記突出片を介して、前記凸部で受けることを特徴としてもよい。
【００１３】
（７）（１）に記載された表示装置において、前記表示パネルと前記リジット基板の間の前記方向は、第１方向及び前記第１方向とは反対の第２方向からなり、前記第２引出部は、前記第１方向に前記第１引出部からずれた位置で前記屈曲部から延び、前記第２方向に下がって前記突出片の下を通ることを特徴としてもよい。
【００１４】
（８）（７）に記載された表示装置において、前記突出片に貼りつけられた補強板をさらに有することを特徴としてもよい。
【００１５】
（９）（１）から（８）のいずれか１項に記載された表示装置において、前記表示パネルは、相互に重なる第１基板及び第２基板を含み、前記第１端部は、前記第１基板に接合され、前記第２端部は、前記第２基板に接合されていることを特徴としてもよい。
【００１６】
（１０）（９）に記載された表示装置において、前記第１端部及び前記第２端部は、それぞれ、前記第１基板及び前記第２基板の同じ方向を向く面に接合されていることを特徴としてもよい。
【００１７】
（１１）（１０）に記載された表示装置において、前記リジット基板は、前記第１基板及び前記第２基板の、前記第１端部及び前記第２端部がそれぞれ接合された前記面と対向する側に配置されていることを特徴としてもよい。
【００１８】
（１２）（１１）に記載された表示装置において、前記リジット基板は、前記第２基板に貼り付けられていることを特徴としてもよい。
【００１９】
（１３）（１）から（１２）のいずれか１項に記載された表示装置において、前記表示パネル及び前記フレキシブル配線基板を収容する筺体をさらに有し、前記フレキシブル配線基板の前記表示パネルから引き出された部分は、屈曲して、前記表示パネルと前記筺体との間に配置されることを特徴としてもよい。
【図面の簡単な説明】
【００２０】
【図１】本発明を適用した第１の実施形態に係る表示装置の側面図（一部断面図）である。
【図２】本発明の実施形態に係る表示パネルの断面図である。
【図３】本発明の実施形態に係る表示パネルの主要部の分解斜視図である。
【図４】表示パネルに画像を表示するための回路を示す図である。
【図５】図５（Ａ）〜図５（Ｃ）は、図１に示すフレキシブル配線基板の取り付け工程を説明するための図である。
【図６】図６（Ａ）〜図６（Ｃ）は、第２の実施形態に係るフレキシブル配線基板の取り付け工程を説明するための図である。
【図７】図７（Ａ）〜図７（Ｃ）は、第３の実施形態に係るフレキシブル配線基板の取り付け工程を説明するための図である。
【図８】図８（Ａ）〜図８（Ｂ）は、第４の実施形態に係るフレキシブル配線基板の取り付け工程を説明するための図である。
【図９】本発明の第５の実施形態に係る表示装置を示す図である。
【発明を実施するための形態】
【００２１】
以下、本発明の実施形態について図面を参照して説明する。
【００２２】
［第１の実施形態］
図１は、本発明を適用した第１の実施形態に係る表示装置の側面図（一部断面図）である。表示装置は、表示パネル１０を有する。本実施形態では、表示パネル１０は、液晶表示パネルであるが、それ以外の表示パネル１０（例えば有機ＥＬ（Electro Luminescence）表示パネル）に本発明を適用することも可能である。
【００２３】
表示パネル１０は、相互に重なる第１基板１２及び第２基板１４を含む。第１基板１２及び第２基板１４のそれぞれの外側には偏光板１６が貼り付けられている。第１基板１２は、第２基板１４から突出する突出部を有している。第１基板１２（詳しくはその突出部）には、液晶の駆動回路を内蔵する集積回路チップ１８が搭載されている。第１基板１２及び第２基板１４には、それぞれ、外部との電気的接続のためにフレキシブル配線基板２０が取り付けられている。フレキシブル配線基板２０は、表示パネル１０に接合されて引き出される本体部２２を有し、本体部２２の先端にコネクタ２４を有している。
【００２４】
表示パネル１０にはリジット基板２６が貼り付けられている。リジット基板２６は、第２基板１４に貼り付けられている。詳しくは、第２基板１４に貼りつけられた偏光板１６に、透明な接着層２８（又は粘着層）を介して、リジット基板２６が貼り付けられている。図１に示すリジット基板２６は、ガラス又は樹脂などからなる透明な板材であり、回路が形成されていないが、回路が形成されていてもよい。
【００２５】
表示装置は、エッジライト方式のバックライト３０を有する。バックライト３０は、表示パネル１０の裏側に配置されている。バックライト３０は、導光板３２を含む。導光板３２は、表示パネル１０と重なるように配置される。バックライト３０は図示しない光源（例えば発光ダイオード）を有する。図示しない光源は、フレキシブル基板３４（ＦＰＣ; Flexible printed circuits）に搭載されている。表示パネル１０と導光板３２の間には、拡散シート及びプリズムシートなどを含む光学シート群３６が配置されている。導光板３２の下（光学シート群３６とは反対側）には反射シート３８が配置されている。
【００２６】
バックライト３０は、例えば樹脂からなるフレーム４０を含む。フレーム４０は、フレキシブル基板３４が固定され、枠状の形状を有して導光板３２を内側に収納し、表示パネル１０が取り付けられている。詳しくは、遮光性の両面テープ４２で、フレーム４０に固定されたフレキシブル基板３４に表示パネル１０が貼り付けられている。さらに、フレーム４０の外側に外フレーム４４が取り付けられている。外フレーム４４は金属からなる。
【００２７】
図２は、本発明の実施形態に係る表示パネルの断面図である。図３は、本発明の実施形態に係る表示パネルの主要部の分解斜視図である。本実施形態に係る表示パネル１０は、入力装置を内蔵したタッチパネルである。
【００２８】
第１基板１２は、光透過性材料（例えばガラス）からなる。第１基板１２は、薄膜トランジスタ４６（Thin Film Transistor）が形成されていることからＴＦＴ基板ともよばれる。薄膜トランジスタ４６は、ポリシリコンなどの半導体膜４８と、半導体膜４８を覆うゲート絶縁膜５０と、ゲート絶縁膜５０を介して半導体膜４８の上方に配置されたゲート電極５２と、ゲート絶縁膜５０を貫通して半導体膜４８に電気的に接続するソース電極５４及びドレイン電極５６と、を含む。
【００２９】
ソース電極５４及びドレイン電極５６の一方は、画素電極５８に電気的に接続されている。また、絶縁膜６０を介して画素電極５８とは異なる層位置にコモン電極６２が形成されている。図２の例では、コモン電極６２の上方（第１基板１２から離れた側）に画素電極５８が位置しているが、上下逆の配置であってもよい。
【００３０】
第２基板１４は、光透過性材料（例えばガラス）からなる。第２基板１４は、カラーフィルタ基板であり、図示を省略した着色層及びブラックマトリクスが形成されている。第２基板１４には、配向膜６４が形成されている。配向膜６４は、図示を省略した着色層及びブラックマトリクスの上に形成される。
【００３１】
表示パネル１０は、複数の画素電極５８及び複数のコモン電極６２の間に生じる電界を利用した光の制御で画像を表示する。本実施形態では、画素電極５８及びコモン電極６２の間に形成される電界で液晶材料６６を駆動する。画素電極５８及びコモン電極６２は第１基板１２に形成されており、画素電極５８及びコモン電極６２の間に形成される電界は横電界である。あるいは、画素電極５８を第１基板１２に形成し、コモン電極６２を第２基板１４に形成し、縦電界によって液晶材料６６を駆動してもよい。いずれの構成であっても、画素電極５８及びコモン電極６２は、第２基板１４及び第１基板１２の間に配置される。
【００３２】
第２基板１４に検出電極６８が設けられている。図２及び図３に示す例では、第２基板１４の、液晶材料６６とは反対側の面に検出電極６８が配置されている。検出電極６８及びコモン電極６２の間に形成される電界を遮る物質の有無による静電容量の差によってタッチの有無を検出する。詳しくは、検出電極６８とコモン電極６２にそれぞれ異なる電圧を印加して両者間（詳しくは対向領域の外側）に電界（フリンジ電界）を形成する。検出電極６８及びコモン電極６２の間に形成される電界を遮る物質（例えば指）の有無による静電容量の差によってタッチの有無を検出する。つまり、第２基板１４、検出電極６８及びコモン電極６２によって入力装置が構成される。
【００３３】
図４は、表示パネル１０に画像を表示するための回路を示す図である。画像表示領域７０には画素電極５８が形成されている。複数の画素電極５８によって画素が形成されるので、複数の画素電極５８を囲む領域が画像表示領域７０である。画像表示領域７０には、コモン電極６２が形成されている。コモン電極６２は基準電位（例えばＧＮＤ）に設定され、画素電極５８には、画素の明るさに応じた電圧が印加される。画素電極５８とコモン電極６２の間に生じる電界を利用した光の制御（例えば液晶材料６６の駆動）で画像が表示される。
【００３４】
コモン電極６２は共通配線６３に電気的に接続し、画素電極５８は、信号線７２に電気的に接続されている。画素電極５８と信号線７２との間にスイッチング素子７４（例えば図２に示す薄膜トランジスタ４６）が接続されており、画素電極５８と信号線７２の電気的な導通及び遮断を行えるようになっている。スイッチング素子７４は、図示しない走査回路から引き出された走査線７６に接続されており、走査線７６に入力される走査信号によって駆動（オン／オフ）される。
【００３５】
図５（Ａ）〜図５（Ｃ）は、図１に示すフレキシブル配線基板の取り付け工程を説明するための図である。図１に示す表示装置に組み込まれたフレキシブル配線基板は、屈曲した部分を有しているが、屈曲前の状態を図５（Ａ）に示す。
【００３６】
第１基板１２（詳しくはその突出部）には、液晶の駆動回路を内蔵する集積回路チップ１８が搭載されており、外部との電気的接続のためにフレキシブル配線基板２０が取り付けられている。そのため、フレキシブル配線基板２０は、表示パネル１０に接合される第１端部７８を含む。第１端部７８は、第１基板１２に接合される。フレキシブル配線基板２０は、第１端部７８から離れるよう延びる第１引出部８０を含む。詳しくは、第１端部７８から本体部２２が引き出され、本体部２２から第１引出部８０が延びる。第１引出部８０は、本体部２２の側方から表示パネル１０の端部に平行に延び、屈曲して、表示パネル１０及び第１端部７８から離れるように延びる。
【００３７】
上述したように（図３参照）、第２基板１４には、検出電極６８が設けられており、外部との電気的接続のためにフレキシブル配線基板２０が使用される。そこで、第１端部７８が第１基板１２に接合されたフレキシブル配線基板２０を第２基板１４に接合する。
【００３８】
図５（Ｂ）は、フレキシブル配線基板２０を第２基板１４に接合した状態を示している。フレキシブル配線基板２０は、表示パネル１０に接合される第２端部８２を含む。第２端部８２は、第２基板１４に接合される。なお、第１基板１２の第１端部７８が接合された面と、第２基板１４の第２端部８２が接合された面とは同じ方向を向く。図１に示す表示装置においては、リジット基板２６は、第１基板１２及び第２基板１４の、第１端部７８及び第２端部８２がそれぞれ接合された面と対向するように配置されている。
【００３９】
フレキシブル配線基板２０は、第２端部８２から離れるよう延びる第２引出部８４を含む。図１に示す表示装置においては、リジット基板２６の下方で、第１引出部８０及び第２引出部８４は、表示パネル１０とリジット基板２６の間の方向に、相互に重なる。リジット基板２６は、表示パネル１０から突出して、フレキシブル配線基板２０の第１引出部８０及び第２引出部８４の上方に配置される部分を含む。
【００４０】
フレキシブル配線基板２０は、屈曲部８６を含む。屈曲部８６は、弾性変形で反発力が生じるように屈曲して、第１引出部８０と第２引出部８４を接続する（図１参照）。第１引出部８０と第２引出部８４は、表示パネル１０とリジット基板２６の間隔の方向にずれた位置で屈曲部８６に接続する。屈曲部８６は、反発力で拡がろうとするが、本実施形態では、図１に示すようにその拡がりが抑えられている。
【００４１】
図５（Ｃ）は、図１に示す状態のフレキシブル配線を示す図である。フレキシブル配線基板２０は、第１引出部８０から突出する突出片８８を含む。突出片８８は、屈曲して、第２引出部８４の第１引出部８０とは反対側の面に重なる。相互に重なる突出片８８及び第２引出部８４は、図１に示す粘着材９０によって接合される。突出片８８は、屈曲部８６の反発力に対抗して、第２引出部８４が第１引出部８０に近づく方向に引き寄せられた状態で、第２引出部８４を保持する。なお、第１端部７８、第１引出部８０、屈曲部８６、第２引出部８４、第２端部８２及び突出片８８は一体的に形成されている。
【００４２】
本実施形態によれば、フレキシブル配線基板２０の一部である突出片８８が第２引出部８４を保持することで、第２引出部８４を第１引出部８０に近づく方向に引き寄せる。これにより、部品点数を増やすことなく、屈曲部８６の反発力を抑えることができる。
【００４３】
［第２の実施形態］
図６（Ａ）〜図６（Ｃ）は、第２の実施形態に係るフレキシブル配線基板の取り付け工程を説明するための図である。
【００４４】
図６（Ａ）には、フレキシブル配線基板２２０を展開した状態で示してある。フレキシブル配線基板２２０は、第１基板２１２に接合される第１端部２７８及び第１引出部２８０から突出する突出片２８８に加えて、第１引出部２８０から突出片２８８とは反対方向に突出する凸部２９２を含む。凸部２９２は、スリット２９２ａを有する。
【００４５】
図６（Ｂ）は、フレキシブル配線基板２２０を第２基板２１４に接合した状態を示している。フレキシブル配線基板２２０は、折り曲げられて、その第２端部２８２が第２基板２１４に接合される。
【００４６】
図６（Ｃ）は、表示装置に組み込まれる状態のフレキシブル配線基板２２０を示している。突出片２８８は、屈曲して、第２引出部２８４の第１引出部２８０とは反対側の面の上方に重なっている。また、突出片２８８は、第１引出部２８０を超えて、スリット２９２ａで凸部２９２に係合する。屈曲部２８６の反発力は、突出片２８８を介して凸部２９２で受けるようになっている。これによれば、第１の実施形態で使用した粘着材９０（図１参照）が不要になる。その他の詳細は、第１の実施形態で説明した内容が該当する。
【００４７】
本実施形態でも、フレキシブル配線基板２２０の一部である突出片２８８が第２引出部２８４を保持することで、第２引出部２８４を第１引出部２８０に近づく方向に引き寄せ、部品点数を増やすことなく、屈曲部２８６の反発力を抑えることができる。
【００４８】
［第３の実施形態］
図７（Ａ）〜図７（Ｃ）は、第３の実施形態に係るフレキシブル配線基板の取り付け工程を説明するための図である。
【００４９】
図７（Ａ）には、フレキシブル配線基板３２０を展開した状態で示してある。本実施形態では、突出片３８８は、第１金属パッド３９４を有する。第１金属パッド３９４は、図示しない配線パターンと同時に同じ材料で形成することができる。第１金属パッド３９４は、第１端部３７８の、第１基板３１２に対向する面とは反対の面に形成されている。第１金属パッド３９４には半田３９５が設けられている。
【００５０】
図７（Ｂ）は、フレキシブル配線基板３２０を第２基板３１４に接合した状態を示している。フレキシブル配線基板３２０は、折り曲げられて、その第２端部３８２が第２基板３１４に接合される。本実施形態では、第２引出部３８４は、第２金属パッド３９６を有する。第２金属パッド３９６は、図示しない配線パターンと同時に同じ材料で形成することができる。第２金属パッド３９６は、第２端部３８２の、第２基板３１４に対向する面とは反対の面に形成されている。第２金属パッド３９６には半田３９５が設けられていないが、変形例として、第１金属パッド３９４に半田３９５を設ける代わりに第２金属パッド３９６に半田３９５を設けても良いし、両方に半田３９５を設けてもよい。
【００５１】
図７（Ｃ）は、表示装置に組み込まれる状態のフレキシブル配線基板３２０を示している。突出片３８８は、屈曲して、第２引出部３８４の第１引出部３８０とは反対側の面に重なり、第１金属パッド３９４と第２金属パッド３９６が対向する。相互に重なる突出片３８８及び第２引出部３８４は、半田３９５によって接合される。これによれば、第１の実施形態の粘着材９０（図１参照）よりも強固に突出片３８８及び第２引出部３８４を固定することができる。その他の詳細は、第１の実施形態で説明した内容が該当する。
【００５２】
［第４の実施形態］
図８（Ａ）〜図８（Ｂ）は、第４の実施形態に係るフレキシブル配線基板の取り付け工程を説明するための図である。
【００５３】
図８（Ａ）には、フレキシブル配線基板４２０を展開した状態で示してある。第１の実施形態のフレキシブル配線基板２０（図５（Ａ）参照）では、第１引出部８０及び第２引出部８４が一直線に延びるのに対して、本実施形態では、第１引出部４８０及び第２引出部４８４並びに屈曲部４８６となる部分がクランク状になっている。すなわち、第１引出部４８０と第２引出部４８４が、それぞれの延びる方向に対して横方向にずれている。
【００５４】
図８（Ｂ）に示すように、フレキシブル配線基板４２０を折り曲げると、第１引出部４８０及び第２引出部４８４は、上下（図８（Ｂ）では紙面の表裏）の方向にずれるが横方向（図８（Ｂ）では上下）にもずれるので重ならない。本実施形態でも、第１の実施形態と同じように、第２引出部４８４は、表示パネル４１０とリジット基板の間の第１方向（図８（Ｂ）では紙面の表側）に、第１引出部４８０からずれた位置で屈曲部４８６から延びる。
【００５５】
第２引出部４８４は、突出片４８８の下を通るように配置する。詳しくは、第２引出部４８４は、第１方向（図８（Ｂ）では紙面の表側）とは反対の第２方向（図８（Ｂ）の紙面の裏側）に下がって突出片４８８の下を通る。これにより、第２引出部４８４が突出片４８８で係合し、突出片４８８が屈曲部４８６の反発力を受けるようになる。突出片４８８は、補強板４９８が貼りつけられており、撓みにくくなっている。補強板４９８は、突出片４８８から第１引出部４８０に至る領域に連続一体的に貼りつけることが好ましい。その他の詳細は、第１の実施形態で説明した内容が該当する。
【００５６】
本実施形態でも、フレキシブル配線基板４２０の一部である突出片４８８が第２引出部４８４を保持することで、第２引出部４８４を第１引出部４８０に近づく方向に引き寄せ、部品点数を増やすことなく、屈曲部４８６の反発力を抑えることができる。
【００５７】
［第５の実施形態］
図９は、本発明の第５の実施形態に係る表示装置を示す図である。本実施形態では、表示装置は、第１の実施形態でそれぞれ説明した表示パネル１０及びフレキシブル配線基板２０を収容する筺体５００を有する。フレキシブル配線基板２０の表示パネル１０から引き出された部分は、屈曲して、表示パネル１０と筺体５００との間（例えばバックライト３０と筺体５００との間）に配置される。
【００５８】
本発明は、上述した実施形態に限定されるものではなく種々の変形が可能である。例えば、実施形態で説明した構成は、実質的に同一の構成、同一の作用効果を奏する構成又は同一の目的を達成することができる構成で置き換えることができる。
【符号の説明】
【００５９】
１０  表示パネル、１２  第１基板、１４  第２基板、１６  偏光板、１８  集積回路チップ、２０  フレキシブル配線基板、２２  本体部、２４  コネクタ、２６  リジット基板、２８  接着層、３０  バックライト、３２  導光板、３４  フレキシブル基板、３６  光学シート群、３８  反射シート、４０  フレーム、４２  両面テープ、４４  外フレーム、４６  薄膜トランジスタ、４８  半導体膜、５０  ゲート絶縁膜、５２  ゲート電極、５４  ソース電極、５６  ドレイン電極、５８  画素電極、６０  絶縁膜、６２  コモン電極、６３  共通配線、６４  配向膜、６６  液晶材料、６８  検出電極、７０  画像表示領域、７２  信号線、７４  スイッチング素子、７６  走査線、７８  第１端部、８０  第１引出部、８２  第２端部、８４  第２引出部、８６  屈曲部、８８  突出片、９０  粘着材、２１２  第１基板、２１４  第２基板、２２０  フレキシブル配線基板、２７８  第１端部、２８０  第１引出部、２８２  第２端部、２８４  第２引出部、２８６  屈曲部、２８８  突出片、２９２  凸部、２９２ａ  スリット、３１２  第１基板、３１４  第２基板、３２０  フレキシブル配線基板、３７８  第１端部、３８０  第１引出部、３８２  第２端部、３８４  第２引出部、３８８  突出片、３９４  第１金属パッド、３９５  半田、３９６  第２金属パッド、４１０  表示パネル、４２０  フレキシブル配線基板、４８０  第１引出部、４８４  第２引出部、４８６  屈曲部、４８８  突出片、４９８  補強板、５００  筺体。
【図１】
2014232178.tif 000003
【図２】
2014232178.tif 000004
【図３】
2014232178.tif 000005
【図４】
2014232178.tif 000006
【図５】
2014232178.tif 000007
【図６】
2014232178.tif 000008
【図７】
2014232178.tif 000009
【図８】
2014232178.tif 000010
【図９】
2014232178.tif 000011